(57)【要約】【課題】所定のプリンタプロファイルを使用して色調整を行う際、ユーザや設計者などが好みの明度に調整することを可能にする。【解決手段】予め用意されているプリンタプロファイルを呼び出し、プリンタプロファイル（ＲＧＢもしくはＹＭＣＫプロファイル）でＲＧＢあるいはＹＭＣＫの画像データをＨＬＳ空間のデータに変換する。ＨＬＳ空間では、ＲＧＢ（ＹＭＣＫ）データをＨ（色相）、Ｌ（明度）、Ｓ（彩度）に分解する。これらのＨ，Ｌ，Ｍのうち明度Ｌについて外部操作により明度を調整する。明度調整はγ調整、平行直線による調整、スプライン曲線による補正に分かれ、これら３つの処理を総合して調整後の明度Ｌ’が設定される。明度調整が終了すると、調整後の明度Ｌ’と、ＨＬＳ空間のデータに変換した色相及び彩度とを総合し、ＨＬ’Ｓ空間からＲＧＢ（ＣＭＹＫ）に変換してプリンタプロファイルを作成する。【選択図】        図２
2005064727.tif 000002
【特許請求の範囲】
【請求項１】
カラープロファイルを変更し、変更されたカラープロファイルに基づいて色変換を行う画像処理方法において、
カラープロファイル上のＲＧＢ空間の色をＨＬＳ色空間の明度、彩度、色相をもつ色に変換し、前記各要素に分解する第１の工程と、
前記第１の工程で分解した明度を外部から指示入力に応じて調整する第２の工程と、
第２の工程で調整した明度と前記第１の工程で分解した色相および彩度とを合成する第３の工程と、
第３の工程で合成されたＨＬＳ空間の色をＲＧＢ空間の色に変換する第４の工程と、
第４の工程で変換されたＲＧＢ空間の色に対応するＲＧＢ色空間のカラープロファイルを作成する第５の工程と、
を含んでいることを特徴とする画像処理方法。
【請求項２】
前記第２の工程では、明度補正用のγ補正曲線をモニタ上に表示し、この表示画面を参照して入力部から指示入力を行うことにより明度を設定することを特徴とする請求項１記載の画像処理方法。
【請求項３】
前記第２の工程が、
γ補正曲線のγを指定する第６の工程、
γ補正曲線を平行移動させる第７の工程、
γ補正曲線に任意の制御点を設定し、前記制御点に関して調整する第８の工程、
のうち少なくとも１つの工程を含んでいることを特徴とする請求項１または２記載の画像処理方法。
【請求項４】
前記第８の工程では、前記各制御点に関し、スプライン曲線に基づいて補間し、γ補正曲線を生成することを特徴とする請求項３記載の画像処理方法。
【請求項５】
前記第２の工程では、ＨＬＳ色空間の明度軸Ｌに対して垂直に切り取った同一明度の平面上の全色について、前記指示された明度に設定することを特徴とする請求項１記載の画像処理方法。
【請求項６】
カラープロファイルを変更し、変更されたカラープロファイルに基づいて色変換を行う画像処理装置において、
カラープロファイル上のＲＧＢ空間の色をＨＬＳ色空間の明度、彩度、色相をもつ色に変換し、前記各要素に分解する分解手段と、
前記分解手段で分解した明度を外部から指示入力に応じて調整する明度調整手段と、
前記明度調整手段で調整した明度と前記分解委手段で分解された色相および彩度とを合成する合成手段と、
前記合成工程で合成されたＨＬＳ空間の色をＲＧＢ空間の色に変換する変換手段と、
前記変換工程で変換されたＲＧＢ空間の色に対応するＲＧＢ色空間のカラープロファイルを作成する作成手段と、
を備えていることを特徴とする画像処理装置。
【請求項７】
前記明度調整手段が、
補正対象となる明度の入力と出力との関係を規定するγ補正曲線を表示する表示装置と、
前記表示装置に対して前記γ補正曲線の特性を操作するための操作入力装置と、
からなることを特徴とする請求項６記載の画像処理装置。
【請求項８】
請求項６または７記載の画像処理装置と、
この画像処理装置と一体または別体に設けられ、前記画像処理装置によって処理された画像データに基づいて媒体に可視画像を形成する画像形成装置と、
からなることを特徴とする画像形成システム。
【請求項９】
請求項１ないし５のいずれか１項に記載の画像処理方法をコンピュータで実行するための手順を備えていることを特徴とするコンピュータプログラム。
【請求項１０】
請求項９記載のコンピュータプログラムがコンピュータによって読み出され、実行可能に記録されていることを特徴とする記録媒体。
【発明の詳細な説明】
【技術分野】
【０００１】
本発明は、プリンタプロファイルを使用した画像処理における画像処理方法、この画像処理方法を実施する画像処理装置、この画像処理装置を使用するカラープリンタ、カラー複写機、ファクシミリなどの画像形成装置、前記画像処理方法をコンピュータで実施するコンピュータプログラム及びこのコンピュータプログラムが記録された記録媒体に関するものである。
【背景技術】
【０００２】
光源色により発色するモニタ（ディスプレイ）と、物体色によって発色するプリントとは色再現範囲が異なり、前者の方が後者より色空間が広く、前者から後者の色空間に変換する際に変換できない色が発生する（ガマット）。しかし、変換できないからといって、その色を抜いたり、全て一定の色に変換すると、プリントアウトした画像がディスプレイに表示された画像と全く印象が異なるものになってしまうことが多いので、何らかの近似を行って対応を取っている。
【０００３】
例えばこのような表色空間の異なる色の変換にプリンタプロファイルが使用され、入力画像データを前記プロファイルで規定した出力画像データに変換して、所望の色がプリントアウトできるように意図されている。また、プリンタプロファイルは、このようなガマットに対応する用途とは別に、色相、明度、彩度などの要素を勘案してモニタに表示されているカラー画像をプリントアウトする際に、所定の対応関係を定めて印字するために用いられる。
【０００４】
このようなプリンタプロファイルとして、例えばＲＣＭプロファイルが知られている。このＲＣＭプロファイルはｓＲＧＢ入力を仮定したＲＧＢ（あるいはＣＭＹＫ）出力プロファイルである。色調整のためには、ツール上で指定している入力ＲＧＢを明度、彩度、色相をもつ空間に変換する必要がある。ここでは、この空間をＨＬＳ空間とする。
【０００５】
一方、ＨＳＶモデルと称される色空間が知られている。このＨＳＶモデルでは，原色が白と同じ明度（Ｖ＝１００％）になってしまうのが不自然である。そこで，ＨＳＶモデルを改良して，ＲＧＢやＣＭＹの明度を５０％にしたのが  ＨＬＳモデルである。ＨＬＳモデルでは、色相（Ｈｕｅ）、彩度（Ｓａｔｕｒａｔｉｏｎ）の定義は  ＨＳＶモデルと同じであるが、明度の定義がＨＳＶモデルと違うのでＬｉｇｈｔｎｅｓｓ（Ｌ）と呼んで区別している。よく知られている色立体により近づいた色モデルといえる。すなわち、ＨＬＳ空間とは、Ｈｕｅ＝色相；Ｌｉｇｈｔ＝明度；Ｓａｔｕｒａｔｉｏｎ＝彩度を３軸とする色空間である。
【０００６】
図９はＨＳＶモデルの断面を揃えて六角柱にしたＨＬＳ色空間のカラーモデルを示す図である。かかる色空間はＬ軸を中心軸とする双六角錐部分空間をなすものであって、Ｌ軸上の一方の頂点（Ｌ＝１）を白色（Ｗ）、他方の頂点（Ｌ＝０）を黒色（Ｂｋ）とし、これらの間（０＜Ｌ＜１）をグレイとする。色相ＨはＬ軸から見た方向で表わされ、かかる空間のＬ軸に垂直な六角形の平面の各頂点方向は、図示するように、Ｒ（赤），Ｙ（黄），Ｇ（緑），Ｃ（シアン），Ｂ（青），Ｍ（マゼンタ）の各色相に相当する。飽和度ＳはＬ軸からの距離で表わされ、グレイは全てＳ＝０、各色相の最大飽和度はＳ＝１，Ｌ＝０．５である。
【０００７】
原色の明度Ｌが、Ｌ＝５０％になるのがＨＬＳモデルの特徴で、Ｌ＝５０％の状態を図１０に示す。また、明度調整に伴う特性の変化を図１１に示す。
【０００８】
このＨＬＳモデルを使用して従来から行われている色変換方法は、
１）明度軸に対して垂直に切り取った同一明度の平面に対しては、全ての色において同様に明度を変化させる。
【０００９】
２）ｙを、入力された明度値によって、中間濃度部分（ｘ＝１２８）で折れ曲がる２つの直線でコントロールする。明度調整＝０の場合は、ｙ＝ｘの直線となる。
【００１０】
３）調整幅は中間濃度部分で、５３／２５５〜２０３／２５５とする。（図１１参照）
４）コントラストは、入力された値によって、ｒｇｂの値をｙ＝ｘの傾きを変更することにより調整（変更）する。
【００１１】
５）変更する角度の範囲は、＋０．６１〜＋１．３９である（図示せず）。
【００１２】
すなわち、従来のＨＬＳモデルでは、同一明度の平面に対しては、全ての色において同様に明度を変化させ、入力された明度値によって、中間濃度部分（８ビットではｘ＝１２８）で折れ曲がる２つの直線でコントロールする。調整幅は中間濃度部分で、５３／２５５〜２０３／２５５とする。また、コントラストは、入力された値によって、ｒｇｂの値をｙ＝ｘの傾きを変更することにより調整（変更）し、変更する角度の範囲は、＋０．６１〜＋１．３９である。
【００１３】
なお、関連する技術として例えば以下の発明が公知である。
【特許文献１】特開平０９−０６９９５９号公報
【特許文献２】特開平１１−１６４１６２号公報
【発明の開示】
【発明が解決しようとする課題】
【００１４】
しかし、前述の従来例に係るＨＬＳモデルでは、このモデルに対応したプロファイルを作成して色調整を行うときに、前記作成したプロファイルに対してユーザまたは設計者が好みの明度を調整することはできなかった。
【００１５】
そこで、本発明の目的は、所定のプリンタプロファイルを使用して色調整を行う際、ユーザや設計者などが好みの明度に調整することを可能にすることにある。
【課題を解決するための手段】
【００１６】
前記目的を達成するため、第１の手段は、カラープロファイルを変更し、変更されたカラープロファイルに基づいて色変換を行う画像処理方法において、カラープロファイル上のＲＧＢ空間の色をＨＬＳ色空間の明度、彩度、色相をもつ色に変換し、前記各要素に分解する第１の工程と、前記第１の工程で分解した明度を外部から指示入力に応じて調整する第２の工程と、第２の工程で調整した明度と前記第１の工程で分解した色相および彩度とを合成する第３の工程と、第３の工程で合成されたＨＬＳ空間の色をＲＧＢ空間の色に変換する第４の工程と、第４の工程で変換されたＲＧＢ空間の色に対応するＲＧＢ色空間のカラープロファイルを作成する第５の工程とを含んでいることを特徴とする。
【００１７】
第２の手段は、第１の手段において、前記第２の工程では、明度補正用のγ補正曲線をモニタ上に表示し、この表示画面を参照して入力部から指示入力を行うことにより明度を設定することを特徴とする。
【００１８】
第３の手段は、第１または第２の手段において、前記第２の工程が、γ補正曲線のγを指定する第６の工程、γ補正曲線を平行移動させる第７の工程、γ補正曲線に任意の制御点を設定し、前記制御点に関して調整する第８の工程のうち少なくとも１つの工程を含んでいることを特徴とする。
【００１９】
第４の手段は、第３の手段において、前記第８の工程では、前記各制御点に関し、スプライン曲線に基づいて補間し、γ補正曲線を生成することを特徴とする。
【００２０】
第５の手段は、第１の手段において、前記第２の工程では、ＨＬＳ色空間の明度軸Ｌに対して垂直に切り取った同一明度の平面上の全色について、前記指示された明度に設定することを特徴とする。
【００２１】
第６の手段は、カラープロファイルを変更し、変更されたカラープロファイルに基づいて色変換を行う画像処理装置において、カラープロファイル上のＲＧＢ空間の色をＨＬＳ色空間の明度、彩度、色相をもつ色に変換し、前記各要素に分解する分解手段と、前記分解手段で分解した明度を外部から指示入力に応じて調整する明度調整手段と、前記明度調整手段で調整した明度と前記分解委手段で分解された色相および彩度とを合成する合成手段と、前記合成工程で合成されたＨＬＳ空間の色をＲＧＢ空間の色に変換する変換手段と、前記変換工程で変換されたＲＧＢ空間の色に対応するＲＧＢ色空間のカラープロファイルを作成する作成手段とを備えていることを特徴とする。
【００２２】
第７の手段は、第６の手段において、前記明度調整手段が、補正対象となる明度の入力と出力との関係を規定するγ補正曲線を表示する表示装置と、前記表示装置に対して前記γ補正曲線の特性を操作するための操作入力装置とからなることを特徴とする。
【００２３】
第８の手段は、第６または第７の手段に係る画像処理装置と、この画像処理装置と一体または別体に設けられ、前記画像処理装置によって処理された画像データに基づいて媒体に可視画像を形成する画像形成装置とから画像形成システムを構成したことを特徴とする。
【００２４】
第９の手段は、第１ないし第５の手段に係る画像処理方法をコンピュータで実行するための手順を含んでコンピュータプログラムを構成したことを特徴とする。
【００２５】
第１０の手段は、第９の手段に係るコンピュータプログラムがコンピュータによって読み出され、実行可能に記録媒体に記録されていることを特徴とする。
【００２６】
なお、前記第７の工程では、明度０％と明度１００％の点は、γ補正曲線のモニタ上の入力軸と出力軸に沿って移動するようにする。この場合は、明度０％より明度が小さくならず、明度１００％よりも明度が大きくならないことが条件である（特性曲線上）。
【００２７】
また、前記第８の工程では、任意の制御点でγ補正曲線の特性（形状）を変化させる際、制御点０％，１００％の点については、γ補正曲線のモニタ上の入力軸と出力軸に沿って移動するようにする。この場合は、双方の入力値が逆転しないことを条件とする。
【００２８】
なお、以下の実施形態において、第１の工程はステップＳ１０２〜Ｓ１０５に、第２の工程はステップＳ１０６及びステップＳ１０７ａ〜Ｓ１０７ｃに、第３の工程はステップＳ１０８に、第４の工程はステップＳ１０９に、第５の工程はステップＳ１１０にそれぞれ対応し、第６の工程はステップＳ１０７ａに、第７の工程はステップＳ１０７ｂに、第８の工程はステップＳ１０７ｃに対応する。
【００２９】
また、第７の手段における各手段はプログラムによって構成されることから、分解手段はステップＳ１０２〜Ｓ１０５に、明度調整手段はステップＳ１０６及びステップＳ１０７ａ〜Ｓ１０７ｃに、合成手段はステップＳ１０８に、変換手段はステップＳ１０９に、作成手段はステップＳ１１０にそれぞれ対応する。
【００３０】
さらに、表示装置および操作指示装置はパーソナルコンピュータＰＣに、画像形成装置はプリンタＰＴＲにそれぞれ対応する。
【発明の効果】
【００３１】
本発明によれば、合成したプロファイルに対して、色相、彩度を維持しながら、ユーザ側で好みの明度調整を行うことができ、これにより一層良好な色再現が可能となる。
【発明を実施するための最良の形態】
【００３２】
以下、本発明の実施例について図面を参照して説明する。
【００３３】
図１は本発明の実施例に係る画像形成システム（同図（ａ））及び色変換部の概略（同図（ｂ））のシステム構成を示す図である。本発明はカラープロファイル（ＲＧＢ或いはＣＭＹＫ）を使用して色調整を行うために作成されたプロファイルに対して、ユーザまたは設計者が好みの明度を調整するできるようにしたものである。すなわち、図１（ｂ）に示すように、モニタからＲＧＢ空間で色指定１が行われたとき、プリンタドライバ２内で色調整を行い、プリンタプロファイル３で前記モニタから入力されたモニタＲＧＢ空間の色に対してプリンタＲＧＢあるいはＹＭＣＫの色空間の色を対応させ、プリンタプロファイル３からその調整された色を出力する。その際、色調整部５でユーザあるいは設計者が明度調整のためのパラメータを入力し、プリンタプロファイル３はこれを受けて表色空間を変更し、出力するＲＧＢ（ＣＭＹＫ）の色を調整する。なお、プリンタドライバ２、プリンタプロファイル３及び色調整部５はこの実施例ではプログラムによって構成されている。また、プリンタドライバ２及び色調整部５は図１（ａ）に示すように一般にパーソナルコンピュータＰＣなどの情報処理装置側に設けられ、プリンタプロファイル３はパーソナルコンピュータＰＣあるいはプリンタＰＴＲのいずれかに設けられている。プリンタＰＴＲは、この実施例では、デジタル複合機の１つの機能として設けられている。デジタル複合機は、この実施例では、自動原稿給送装置ＡＤＦ、原稿読み取り装置（スキャナ）ＳＣＲ、操作表示部（操作入力部）ＯＰＢ、後処理装置（ソータ）ＳＯＲから構成されている。
【００３４】
図２は、図１（ｂ）における色調整部でプリンタプロファイルを書き換えて、ユーザや設計者などの好みの明度に調整する色調整部のプロファイル合成の処理手順を示すフローチャートであり、プログラムによって構成される。
【００３５】
このプロファイル合成では、まず、予め用意されているプリンタプロファイル３を呼び出し（ステップＳ１０１）、プリンタプロファイル（ＲＧＢもしくはＹＭＣＫプロファイル）３でＲＧＢあるいはＹＭＣＫの画像データを前記図９に示したＨＬＳ空間のデータに変換する（ステップＳ１０２）、ＨＬＳ空間では、ＲＧＢ（ＹＭＣＫ）データをＨ（色相）、Ｌ（明度）、Ｓ（彩度）に分解する（ステップＳ１０３，Ｓ１０４，Ｓ１０５）。これらのＨ，Ｌ，Ｍのうち明度Ｌについてユーザまたは設計者（その他、人為的に）などによって明度が調整される（ステップＳ１０６）。すなわち、ＨＬＳ空間に変換後、明度軸Ｌに対して垂直に切り取った同一明度の平面を設定し（０％から１００％）、全ての色において前記平面で規定される明度に変化させる。明度調整はγ調整（ステップＳ１０７ａ）、平行直線による調整（ステップＳ１０７ｂ）、スプライン曲線による補正（ステップＳ１０７ｃ）に分かれ、これら３つの処理を総合して調整後の明度Ｌ’が設定される（ステップＳ１０８）。
【００３６】
このようにして明度調整が終了すると、調整後の明度Ｌ’と、ステップＳ１０３，Ｓ１０５で設定した色相（Ｈ）及び彩度（Ｓ）とを総合してＨＬ’Ｓ色空間とした後、このＨＬ’Ｓ色空間からＲＧＢ（ＣＭＹＫ）色空間に変換する（ステップＳ１０９）。この変換データをＲ’Ｇ’Ｂ’（Ｃ’Ｍ’Ｙ’Ｋ’）とすると、この変換後のデータＲ’Ｇ’Ｂ’（Ｃ’Ｍ’Ｙ’Ｋ’）が出力されるプリンタプロファイルが作成され（ステップＳ１１０）、このプリンタプロファイルで変換されたＲ’Ｇ’Ｂ’（Ｃ’Ｍ’Ｙ’Ｋ’）データがプリンタに出力され、この変換後の画像データに基づいて印字されることになる。
【００３７】
図３は、パーソナルコンピュータＰＣのディスプレイ（表示装置）におけるγ補正の調整画面の一例を示す図であり、前記ステップＳ１０７ａ，Ｓ１０７ｂ，Ｓ１０７ｃの処理を行うためのものである。この調整画面には、γ値の入力スペース３１、読み込み指示部３２、保存指示部３３、初期化指示部３４、入力指示部３５、垂直方向の直線移動用スライドバー３６、水平方向の直線移動用スライドバー３７、γ変換特性を示すγ特性曲線部３８、及びこのγ特性曲線部上に設定された５点の調整ポイント３９が設けられている。調整は、
１）γ値入力スベース３１
２）直線移動用スライドバー３６，３７
３）調整ポイント３９
の３つを操作することにより行われる。
【００３８】
１）では、γ値入力スペース３１にγ値を入力して調整する。この調整は、図３の調整画面において、初期状態の明度入出力特性（Ｌ値、γ＝ｍ）を、γ値入力スペース３１から入力されたγ値による補正曲線で置き換える。γ値の入力は図示しないパーソナルコンピュータのキーボードからの数値入力により行う。明度は、白〜黒を０〜１００％とし、０、１００％の点は移動させない。
【００３９】
調整は、γ＝ｍ（プロファイルを作成したときのγ値）を基準とする。表示もγ＝ｍをｙ＝ｘの直線として表示し、任意のγ値の調整はγ＝ｍをｙ＝ｘとしたときとの差として行う。
【００４０】
調整式は以下のようになる。すなわち、
Ｌ（ａ）＝Ｌ／１００    ・・・（１）
Ｌ（ｂ）＝Ｌ（ａ）＾（１／γ）    ・・・（２）
Ｌ’＝Ｌ（ｂ）＊１００    ・・・（３）
なお、＾は羃乗を示し、この場合はＬ（ａ）の（１／γ）乗を意味する。
【００４１】
図４はγ値に対応したγ曲線の状態を示す。図４では、γ＝ｍ（プロファイルを作成したときのγ値）を基準とし（ｙ＝ｘ）、γ＝２．２のときにｙ＝ｘの直線に対して凸状の曲線に、γ＝１．８のときにｙ＝ｘの直線に対して凹状の曲線になる。また、（１）式は明度Ｌを０≦Ｌ≦１にする明度をＬを０％から１００％の間に設定すること、すなわち、ステップＳ１０７で明度軸Ｌに対して垂直に切り取った同一明度の平面（Ｌ（ａ））を設定することに対応している。
【００４２】
（２）式では、（１）式で切り取った平面に対応する同一明度Ｌ（ａ）の画像データを（１／γ）乗してγ補正を行い、（３）式では、γ補正された明度値Ｌ（ｂ）に１００を乗算し、補正後明度値を０≦Ｌ≦１００に戻している。
【００４３】
図５は、図４に対して調整ポイント３９を操作して特性を変更した例である。なお、明度０％及び明度１００％の調整ポイントについては、グラフエリアの辺に沿って移動させることは可能であるが、移動させたときの明度０％及び明度１００％の調整ポイントが逆転しないことが条件となる。この処理（調整）がステップＳ１０７ａの処理に対応する。
【００４４】
２）では、スライドバー３６，３７を操作してγ曲線、この場合はｙ＝ｘの直線を平行移動させて調整する。すなわち、初期状態の明度入出力特性（Ｌ値）を、調整画面上で平行移動させた補正線の通りに置き換える。この場合、白〜黒を明度０〜１００％とし、０、１００％の点も移動することができる。ただし、調整する際に、明度０％の点と明度１００％の点はグラフエリアの辺に沿って移動することはできるが、この場合は、移動点は、０％より小さくならないこと、１００％よりも大きくならないことを条件とする。このようにしてγ曲線（直線）を平行移動させて調整した例を図６に示す。この処理（調整）がステップＳ１０７ｂの処理に対応する。
【００４５】
３）では、γ補正曲線（明度カーブ）を任意コントロールポイント（制御点−調整ポイント）の調整して所望の変換特性を有する曲線とし、この曲遷移基づいて明度調整を行うものである。この調整は、初期状態の明度入出力特性（Ｌ値）を、コントロールポイント（制御点）の移動により定義された補正曲線で置き換える。補正曲線については、０、１００％（白〜黒を明度０〜１００％とする）の点は移動させず、制御点間をそれぞれの点を通るスプライン曲線により補完する。スプライン曲線は、与えられた点を通過し、２次連続性を保証する曲線で、図７に示すように与えられた点（ＰｉとＰｉ＋１）の間をそれぞれ、ｔを媒介変数とする３次式で表現される。
【００４６】
ｒｉ（ｔ）＝ａｉ・ｔ３＋ｂｉ・ｔ２＋ｃｉ・ｔ＋ｄｉ    ・・・（４）
この各係数  ａｉ，ｂｉ，ｃｉ，ｄｉを以下の条件で求める。
【００４７】
（ａ）ｔ＝０とｔ＝１で与えられた点（ＰｉとＰｉ＋１）を通る。
【００４８】
（ｂ）各通過点で、ｔ＝０とｔ＝１で傾き（一次微係数）が等しい。
【００４９】
（ｃ）各通過点で、ｔ＝０とｔ＝１で傾きの変化率（２次の微係数）が等しい。
【００５０】
（ｄ）端点（始点と終点）の傾きを指定する（固定端）か、２次の微係数を０（自由端）とするか、始点と終点の傾きを同じにする（閉路）。
【００５１】
これらの条件は、係数に関する一次連立方程式になるので、連立方程式を解いて係数を定める。連立方程式は、閉路条件でなければバンドマトリック（３＊ｎの行列）となり、線形の時間で解くことができる。閉路条件の場合、解く際に少し工夫が必要であるが、解き方は公知なので、ここでの説明は省略する。なお、本実施例におけるスプラインは閉路を前提とする。
【００５２】
図８は前記２）および３）を適用して実際に補正を行った結果を示すγ補正曲線を示す図である。この図から、初期状態（ｙ＝ｘ）に対して凹状の部分と凸状の部分とを持った１つのγ補正曲線を作成することが可能となり、複雑な特性で補正することができることが分かる。この処理（調整）がステップＳ１０７ｃの処理に対応する。
【００５３】
このようにしてステップＳ１０７ａからＳ１０７ｃの処理（調整）により新しいＬ’値を獲得し（ステップＳ１０８）、その後、ステップＳ１０２で分解し、ステップＳ１０３およびステップＳ１０５で得られたＨ、Ｓ値とともにＲＧＢ（あるいはＣＭＹＫ空間）に変換して（ステップＳ１０９）、Ｒ’Ｇ’Ｂ’（或いはＣ’Ｍ’Ｙ’Ｋ’）とする。これによりユーザ、設計者、サービスマンなどが自身の好みに応じて、あるいは他者からの求めに応じて後から人為的に前記Ｒ’Ｇ’Ｂ’（或いはＣ’Ｍ’Ｙ’Ｋ’）を用いて新しいプロファイルを作成することができる（ステップＳ１１０）。
【図面の簡単な説明】
【００５４】
【図１】本発明の実施例に係る画像形成システム（同図（ａ））及び色変換部の概略（同図（ｂ））のシステム構成を示す図である。
【図２】図１（ｂ）における色調整部でプリンタプロファイルを書き換えて、ユーザや設計者などの好みの明度に調整する色調整部のプロファイル合成の処理手順を示すフローチャートである。
【図３】パーソナルコンピュータのディスプレイにおけるγ補正の調整画面の一例を示す図である。
【図４】図３の調整画面におけるγ値に対応したγ補正曲線の状態を示す図である。
【図５】図４のγ補正曲線に対して調整ポイントを操作して特性を変更した例を示す図である。
【図６】γ曲線（直線）を平行移動させて調整した例を示す図である。
【図７】スプライン曲線の説明図である。
【図８】調整ポイントよる調整と、平行移動とを組み合わせて作成したγ補正曲線の例を示す図である。
【図９】ＨＳＶモデルの断面を揃えて六角柱にしたＨＬＳ色空間のカラーモデルを示す図である。
【図１０】原色の明度ＬがＬ＝５０％になるＨＬＳモデルのＬ＝５０％の状態を示す図である。
【図１１】明度調整に伴う特性変化の状態を示す図である。
【符号の説明】
【００５５】
２  プリンタドライバ
３  プリンタプロファイル（カラープロファイル）
５  色調整部
ＰＣ  パーソナルコンピュータ
ＰＴＲ  プリンタ
【図１】
2005064727.tif 000003
【図２】
2005064727.tif 000004
【図３】
2005064727.tif 000005
【図４】
2005064727.tif 000006
【図５】
2005064727.tif 000007
【図６】
2005064727.tif 000008
【図７】
2005064727.tif 000009
【図８】
2005064727.tif 000010
【図９】
2005064727.tif 000011
【図１０】
2005064727.tif 000012
【図１１】
2005064727.tif 000013